(57)【要約】【課題】  良好に浴槽開口部を塞ぐことができ、子供等が簡単に外すことができず、子供の悪戯を防ぐことができるが、工具を用いることで容易に外すことのできる止水キャップを提供する。【解決手段】  浴槽の立上壁に設けられた取水口を塞ぐ止水キャップ２０であって、止水キャップ２０は、取水口を構成するフランジ１４内の収納空間Ｓに突出することなく収まる形状に形成されており、浴槽内側に位置する表面２０ａには、浴槽の立上壁に沿って上方より工具を差し込むことのできる工具掛け空間２２が備えられている。【選択図】  図８
2006094978.tif 000002
【特許請求の範囲】
【請求項１】
浴槽の立上壁に設けられた取水口を塞ぐ止水キャップであって、該止水キャップは、取水口を構成するフランジ内に突出することなく収まる形状に形成されているとともに、浴槽内側に位置する表面には、前記浴槽の立上壁に沿って上方より工具を差し込むことのできる工具掛け空間が備えられていることを特徴とする止水キャップ。
【請求項２】
前記止水キャップの表面には、前記浴槽の立上壁に対し略直角方向の浴槽内から工具を差し込み可能で、工具を介し前記止水キャップを回転させて前記工具掛け空間の方向を変えることのできる工具溝が形成されていることを特徴とする請求項１に記載の止水キャップ。
【発明の詳細な説明】
【技術分野】
【０００１】
本発明は、浴槽の立上壁に設けられた取水口を塞ぐことのできる止水キャップに関するものである。
【背景技術】
【０００２】
従来、例えば特許文献１に開示されているように、浴槽の開口穴に循環金具が取り付けられているが、この循環金具を使用しないような時には、止水部材を用いて塞ぐようにしている。
【特許文献１】特開２００３−１０２６３３号公報
【発明の開示】
【発明が解決しようとする課題】
【０００３】
止水部材を用いて塞ぐ場合、従来では止水部材が手で簡単に取り外し可能なために、子供が悪戯をして、この止水部材を取り外してしまうという問題点があった。
【課題を解決するための手段】
【０００４】
本発明は上記従来の問題点に鑑み案出したものであって、簡単に外すことができず、しかも良好に浴槽の開口部を塞ぐことのできる止水キャップを提供せんとするものであり、その請求項１は、浴槽の立上壁に設けられた取水口を塞ぐ止水キャップであって、該止水キャップは、取水口を構成するフランジ内に突出することなく収まる形状に形成されているとともに、浴槽内側に位置する表面には、前記浴槽の立上壁に沿って上方より工具を差し込むことのできる工具掛け空間が備えられていることである。
また、請求項２は、前記止水キャップの表面には、前記浴槽の立上壁に対し略直角方向の浴槽内から工具を差し込み可能で、工具を介し前記止水キャップを回転させて前記工具掛け空間の方向を変えることのできる工具溝が形成されていることである。
【発明の効果】
【０００５】
本発明の止水キャップは、取水口を構成するフランジ内に突出することなく収まる形状に形成され、浴槽内側に位置する表面には、上方より工具を差し込むことのできる工具掛け空間が備えられていることにより、止水キャップは取水口を構成するフランジ内に突出することなく収まり、良好に取水口を塞ぐことができ、浴槽内側に突出しないために、子供等が指を掛けにくく、簡単に外せないものとなる。しかも、工具掛け空間が形成されているため、上方より工具をこの工具掛け空間に差し込んで、工具を用いることで容易に外すことができる。
【０００６】
また、止水キャップの表面には、浴槽の立上壁に対し略直角方向の浴槽内から工具を差し込み可能で、工具を介し止水キャップを回転させて工具掛け空間の方向を変えることのできる工具溝が形成されていることにより、工具を工具溝に差し込んで、工具を介して止水キャップを回転させることで、工具の使用しやすい向きに工具掛け空間を向けることができる。
【実施例】
【０００７】
以下、本発明の実施例を図面に基づいて説明する。
図１は、浴室と洗面室の斜視構成図であり、浴室１内に設置されている浴槽２の洗い場３側の立上壁２ａには取水口４が取り付けられており、この取水口４にはエプロンの内側を通る浴室内配管５が接続されており、浴室内配管５の先端のニップル１６が、図2に示すように、壁パネル１７の外側からの貫通金具６に接合されて、貫通金具６から浴室外配管７が洗面室８の壁面まで立ち上げ状に配管されており、洗面室８内の壁面には浴室外配管７に接続された給水エルボ９が設けられている。
この給水エルボ９に対し、先端に洗濯機接続エルボ１０ａを備えた給水ホース１０を接続して、給水ホース１０を介し洗面室８に設置された洗濯機１１に接続することができ、洗面室８側で給水ホース１０を接続するのみで、洗濯機１１に内蔵したポンプを運転させることで、浴槽２内の残り湯を良好に洗濯機１１内に導入できるように構成されている。
【０００８】
なお、図2に示すように、前記取水口４は、浴槽の立上壁２ａに貫通形成された開口１２内に裏表から平パッキン１３，三角パッキン１３ａを介在させてフランジ１４が差し込まれ、フランジ１４には浴槽の外側から浴室内配管５に接続されたエルボ１５が接続されて、立上壁２ａにフランジ１４が固定されており、このフランジ１４内には、通常はスポンジフィルター１８が収納され、カバー１９が螺着されて覆蓋されている。
【０００９】
なお、図３は取水口４の外観図を示し、図４では取水口４の平面断面構成図を示す。
即ち、フランジ１４は円筒状に形成されて、浴槽内側には鍔部１４ａが突出されており、この鍔部１４ａの外周に形成された雄ネジに対し、カバー１９の内周に形成された雌ネジを螺合させて、フランジ１４にカバー１９を取り付けることができ、フランジ１４内にはスポンジフィルター１８を収納できる収納空間Ｓが仕切部１４ｂの浴槽内側に形成されている。
【００１０】
このような構成において、例えばポンプ内蔵式の洗濯機１１ではない通常の洗濯機１１が洗面室８に設置された場合には、取水口４は使用しないために蓋しておく必要があり、その場合には、スポンジフィルター１８に代えてフランジ１４の収納空間Ｓ内に止水キャップ２０が嵌め込まれて、止水キャップ２０により取水口４が塞がれるものである。
止水キャップ２０をフランジ１４の収納空間Ｓ内に収納させた状態は、図５の断面図で示す。
【００１１】
なお、止水キャップ２０は、図６の表面側から見た斜視図、及び逆向きにした図７の斜視図で示すような構造となっている。
即ち、止水キャップ２０は、筒状部２０ｂの外周にオーリング２１を嵌め込むオーリング溝２０ｃが形成されており、表面２０ａ側には、上方を開放させた工具掛け空間２２が形成されて、この工具掛け空間２２の表面側には、工具掛け空間２２と連通状に縦方向上向きの工具溝２３が形成されている。
【００１２】
通常は、図8に示すように、フランジ１４の収納空間Ｓ内に、工具掛け空間２２を上向きにして止水キャップ２０がスッポリと収納される。
即ち、フランジ１４内に、表面２０ａが突出することなく、オーリング２１を介在させて密着状に止水キャップ２０が収納されるため、完全に取水口４を塞ぐことができるものとなり、例えカバー１９を外しても止水キャップ２０は突出していないために、止水キャップ２０に指を掛けることはできず、そのため止水キャップ２０を取り外すことができないため、子供の悪戯を防ぐことができるものとなる。
【００１３】
逆に、必要に応じフランジ１４内から止水キャップ２０を取り外す必要がある場合には、図９に示すように、浴槽の立上壁２ａに沿って上方よりマイナスドライバー２４を工具掛け空間２２内に差し込んで、マイナスドライバー２４の下端を工具溝２３の裏側まで差し込み、マイナスドライバー２４を浴槽の立上壁２ａ側へ倒すことで、良好に図９のようにフランジ１４の収納空間Ｓ内から止水キャップ２０を外すことができるものとなる。
【００１４】
なお、工具掛け空間２２が上向き状態でない場合には、上方側からマイナスドライバー２４を工具掛け空間２２内に差し込むことが困難であるため、そのような場合は図１０に示すように、立上壁２ａに対し略直角方向にマイナスドライバー２４を配置させて、浴槽の内側からマイナスドライバーの先端を工具溝２３内に差し込み、マイナスドライバー２４を介し止水キャップ２０を回転させ、良好に工具掛け空間２２を上向きにすることができ、工具掛け空間２２が上向きになれば、図９のように上方側からマイナスドライバー２４を差し込んで、良好に止水キャップ２０を外すことができるものとなる。
【図面の簡単な説明】
【００１５】
【図１】浴室と洗面室の斜視構成図である。
【図２】浴槽の立上壁に取り付けられる取水口の構成部材の分解斜視図である。
【図３】取水口の外観斜視図である。
【図４】取水口を浴槽の立上壁に取り付け固定し、内部にスポンジフィルターを収納した状態の平面断面構成図である。
【図５】スポンジフィルターに代えて内部に止水キャップを収納させて塞いだ状態の平面断面構成図である。
【図６】止水キャップの表面側から見た斜視構成図である。
【図７】止水キャップを裏返して見た斜視構成図である。
【図８】フランジと止水キャップとカバーの分解斜視図である。
【図９】止水キャップをフランジの収納空間内から取り外す状態の作業説明図である。
【図１０】止水キャップを浴槽内側からドライバーで回転させる作業説明図である。
【符号の説明】
【００１６】
１  浴室
２  浴槽
２ａ  立上壁
３  洗い場
４  取水口
５  浴室内配管
６  貫通金具
７  浴室外配管
８  洗面室
９  給水エルボ
１０  給水ホース
１１  洗濯機
１２  開口
１３  平パッキン
１３ａ  三角パッキン
１４  フランジ
１４ａ  鍔部
１８  スポンジフィルター
１９  カバー
２０  止水キャップ
２０ａ  表面
２０ｂ  筒状部
２０ｃ  オーリング溝
２１  オーリング
２２  工具掛け空間
２３  工具溝
２４  工具（マイナスドライバー）
Ｓ  収納空間
【図１】
2006094978.tif 000003
【図２】
2006094978.tif 000004
【図３】
2006094978.tif 000005
【図４】
2006094978.tif 000006
【図５】
2006094978.tif 000007
【図６】
2006094978.tif 000008
【図７】
2006094978.tif 000009
【図８】
2006094978.tif 000010
【図９】
2006094978.tif 000011
【図１０】
2006094978.tif 000012